(57)【要約】      （修正有）【課題】回路基板に実装されて多数の電線を簡単に纏めて固定することができるテーピングワイヤクリップを提供する。【解決手段】ワイヤクリップ５は、弾性及び絶縁性を有する樹脂部材で形成され、基部６ａの両側に両側部６ｂが上方に延設され、上部の開口部６ｃから電線を取り込んで固定するワイヤクリップ部６と、金属部材で形成され、上部がワイヤクリップ部の基部６ａに固定されて下方に延出され、下部が帯状の台紙と貼着テープから成るテープに長手方向に沿って貼着固定される２本の脚部７ａを有するリード部７とから成り、脚部が所定位置で切断されてテープから取り出され、回路基板に実装される。【選択図】      図３
2004247357.tif 000002
【特許請求の範囲】
【請求項１】
弾性及び絶縁性を有する樹脂部材で形成され、基部の両側に両側部が上方に延設され、上部の開口部から電線を取り込んで固定するワイヤクリップ部と、
金属部材で形成され、上部が前記ワイヤクリップ部の基部に固定されて下方に延出され、下部が帯状の台紙と貼着テープから成るテープに長手方向に沿って貼着固定される２本の脚部を有するリード部とから成り、
前記脚部が所定位置で切断されて前記テープから取り出され、回路基板に実装されることを特徴とするテーピングワイヤクリップ。
【請求項２】
前記リード部の２本の脚部は上端部が連設されて嵌合部とされ、
前記ワイヤクリップ部は、基部に前記リード部の嵌合部と嵌合する嵌合凹部が設けられていることを特徴とする請求項１記載のテーピングワイヤクリップ。
【請求項３】
前記ワイヤクリップ部の開口部には、
前記電線の押し込み操作により弾性変形して前記電線の押し込みを許容し、前記電線の押し込み後弾性復帰して抜けを阻止する係止爪が設けられていることを特徴とする請求項１記載のテーピングワイヤクリップ。
【発明の詳細な説明】
【０００１】
【発明の属する技術分野】
本発明は、実装機により回路基板に実装されて電線を固定するテーピングワイヤクリップに関する。
【０００２】
【従来の技術】
電子機器内には多数の電線（ワイヤ）が配線されており、回路基板上に配線されることも多い。回路基板には多数の回路素子が実装されており、回路基板上に多数の電線がバラバラに配線されていると見栄えが悪いばかりでなく、保守等における作業性が悪い。また、回路基板上に電線が配線されると、回路素子と干渉し易く、例えば、発熱する回路素子に接触している場合被覆が劣化して電線同士がショートしたり、或いは他の回路素子とショートするおそれがある。特に多数の電線が回路基板上に配線されているような場合には、前記トラブルが発生するおそれが高くなる等の問題もある。
【０００３】
そこで、従来は、複数の電線を纏めて適宜の箇所で結束バンドで束ねたり、或いは絶縁テープを巻回して束ねたりしている。また、束ねた電線を更に固定部材で回路基板に固定してずれないようにしている場合もある。
【０００４】
【発明が解決しようとする課題】
しかしながら、多数の電線を結束バンドで束ねたり、絶縁テープを巻回して束ねたりする方法では、手間が係るばかりでなく、修理等において１本の電線を交換するような場合でもその都度全ての結束バンドを切断し、或いは絶縁テープを剥がし、再び結束バンドで結束し、或いは絶縁テーブを巻回しなければならず、面倒且つ煩わしく作業性が悪い。更に、束ねた電線を固定部材で回路基板に固定する場合には作業性が更に悪くなると共に部品点数が増える等の問題もある。
【０００５】
本発明は、上述の点に鑑みてなされたもので、回路基板に実装されて多数の電線を簡単に纏めて固定することができるテーピングワイヤクリップを提供することを目的とする。
【０００６】
【課題を解決するための手段】
上記目的を達成するために請求項１の発明では、テーピングワイヤクリップは、
弾性及び絶縁性を有する樹脂部材で形成され、基部の両側に両側部が上方に延設され、上部の開口部から電線を取り込んで固定するワイヤクリップ部と、金属部材で形成され、上部が前記ワイヤクリップ部の基部に固定されて下方に延出され、下部が帯状の台紙と貼着テープから成るテープに長手方向に沿って貼着固定される２本の脚部を有するリード部とから成り、前記脚部が所定位置で切断されて前記テープから取り出され、回路基板に実装されることを特徴とする。
【０００７】
テーピングワイヤクリップは、実装機に装着され、ワイヤクリップの脚部が所定の位置で切断されてテープから取り出され、回路基板に実装される。前記回路基板上に配線される電線をワイヤクリップ部の開口部から押し込むと、これに伴い開口部が弾性変形して大きく開き、前記電線の押し込みが可能となる。ワイヤクリップ部は、電線が取り込まれた後開口部が元の状態に弾性復帰し、電線の抜けが防止される。このようにして多数の電線が回路基板に実装されたワイヤクリップに固定される。ワイヤクリップ部は、基部上面が前記回路基板から離隔していることで、前記電線を回路基板の上面から離隔して固定することができ、回路素子との干渉が防止される。
【０００８】
請求項２の発明では、前記リード部の２本の脚部は上端部が連設されて嵌合部とされ、前記ワイヤクリップ部は、基部に前記リード部の嵌合部と嵌合する嵌合凹部が設けられていることを特徴とする。
ワイヤクリップ部とリード部とを別体とし、これらを嵌合固定する構造とすることで、リード部を共通部品とし、ワイヤクリップを小ロット多品種の形状としても容易に対処することができる。
【０００９】
請求項３の発明では、前記ワイヤクリップ部の開口部には、前記電線の押し込み操作により弾性変形して前記電線の押し込みを許容し、前記電線の押し込み後弾性復帰して抜けを阻止する係止爪が設けられていることを特徴とする。
ワイヤクリップ部への電線の開口部からの押し込みが容易であり、且つ押し込まれた電線は、開口部に設けられた係止爪により抜けが防止される。
【００１０】
【発明の実施の形態】
以下本発明の実施例を図面により詳細に説明する。
図１は、本発明に係るテーピングワイヤクリップの第１の実施形態を示す一部切欠正面図、図２は、図１に示すワイヤクリップの斜視図、図３は、図２に示すワイヤクリップの組立斜視図である。図１に示すようにテーピングワイヤクリップ１は、帯状の台紙（以下「テープ」という）２の一側（上側）に長手方向に沿って所定の間隔でワイヤクリップ５が多数配列され、各リード部７の下部が粘着テープ３によりテープ２に貼着固定されている。テープ２は、中央に所定の間隔で実装機の送り用の孔２ａが穿設されている。
【００１１】
図１及び図２に示すようにワイヤクリップ５は、電線（ワイヤ）を固定するためのワイヤクリップ部６と、ワイヤクリップ部６の基部６ａから下方に延出するリード部７とから成る。ワイヤクリップ部６は、基部６ａから両側部６ｂ、６ｂが略垂直に立ち上がり、上部に電線を取り込むための開口６ｃが形成され、基端部６ａにリード部７と嵌合するための嵌合凹部６ｄが設けられている。両側部６ｂ、６ｂの先端部６ｅ、６ｆは、内側に斜め下方に折曲され、一方例えば、先端部６ｅが、他方の先端部６ｆの下方に僅かな隙間を存して離隔対向しており、これら先端部６ｅ、６ｆの間の隙間が電線を取り込むための開口部６ｃとされている。先端部６ｅ、６ｆは、電線の挿入（押し込み）を可能とし、且つ挿入した電線の逸脱を阻止する係止爪（以下「係止爪６ｅ、６ｆ」という）とされる。
【００１２】
図３に示すように嵌合凹部６ｄは、下面６ｈの中央にスリット６ｉが設けられ、当該スリット６ｉの一側（前面側）が当該スリット６ｉの両側部を残して大きく切り欠かれて開口部６ｊとされ、当該開口部６ｊと対向する内面中央に係止爪６ｋが突設されている。この係止爪６ｋは、下面６ｈ側から上方に向かってテーパ状に厚みを増す略楔形状をなしている。このワイヤクリップ部６は、弾性を有する電気絶縁部材例えば、ＰＡ（ポリアミド）樹脂部材により形成されている。
【００１３】
図３に示すようにリード部７は、２本の脚部７ａ、７ａの上端部が連設されて嵌合部７ｂとされ、下端部が連結部７ｃにより連結されて長方形の枠状をなしている。嵌合部７ｂは、ワイヤクリップ部６のスリット６ｉに嵌合可能な板厚及び幅とされ、中央に係止爪６ｋが係合可能な孔７ｄが設けられている。このリード部７は、金属板を打ち抜き加工して形成されている。
【００１４】
図３に示すようにリード部７は、嵌合部７ｂがワイヤクリップ部６のスリット６ｉに下方から挿入され、孔７ｄに係止爪６ｋが係合されて固定される。リード部７は、嵌合部７ｂの両側部がスリット６ｉに嵌合され、孔７ｄが係止爪６ｋに係止されることで、逸脱不能に固定される。このようにしてワイヤクリップ部６とリード部７とが結合固定されてワイヤクリップ５が形成されている。
【００１５】
図１に示すテーピングワイヤクリップ１は、実装機（図示せず）に装着されてテープ２が送り用孔２ａにより順次送られる。ワイヤクリップ５は、２本の脚部７ａが所定の長さに切断されてテープ２から取り出され、これらの脚部７ａが図４及び図５に示すように回路基板１１の所定位置に穿設されている孔１１ａに挿入され、裏面から突出する先端にハンダが盛られて固定される。この状態においてワイヤクリップ５の基部６ａは、下面６ｈが回路基板１１の上面に当接して安定且つ垂直に実装される。
【００１６】
そして、回路基板１１上に配線される電線１５を掴んでワイヤクリップ部６の下側の係止爪６ｅの先端に当てて押し込むと、これに伴い係止爪６ｅが弾性変形して内側に彎曲し係止爪６ｆとの間の隙間即ち、開口部６ｃが大きく開き、係止爪６ｅ上を滑動しながら押し込まれる。電線１５が押し込まれると、係止爪６ｅが元の状態に弾性復帰し、開口部６ｃが狭くなり電線１５の抜けが防止される。このようにしてワイヤクリップ部６に多数の電線が取り込まれて固定される。ワイヤクリップ部６は、基部６ａの上面が回路基板１１から離隔していることで、電線１５を回路基板１１の上面から離隔して固定することができ、回路素子との干渉が防止される。
【００１７】
ワイヤクリップ部６から電線を取り出す場合には、両側部６ｂを外側に彎曲させて開口部６ｃを拡げ、或いは下側の係止爪６ｅを下方に押し下げて開口部６ｃを拡げ、取り出すべき電線を掴んで引き出す。これにより、簡単に所望の電線のみを取り出すことができ、回路基板１１上に配線された多数の電線の結束作業や、保守時における電線の交換作業等が極めて容易となる。
【００１８】
図６乃至図１３は、図２及び図３に示すワイヤクリップ部６とリード部７との結合構造の他の実施形態を示し、図６は、本発明に係るワイヤクリップの第２実施形態を示す組立斜視図である。尚、図６乃至図１３において第１実施形態と同一部材及び同一部位には同一符号を付して説明を省略する。図６に示すようにワイヤクリップ部６の嵌合凹部６ｄは、一側（前面側）に開口されてリード部７の嵌合部７ｂが嵌合可能とされており、内面中央に一対の係止爪６ｍ、６ｍが背中合わせに僅かに離隔して先端が互いに近接方向に弾性変形可能に突設されている。リード部７は、嵌合凹部６ｄに矢印で示すように側方から嵌合され、孔７ｃに係止爪６ｍ、６ｍが弾性変形して貫通嵌合された後弾性復帰して逸脱不能に固定される。このようにしてワイヤクリップ５が形成されている。
【００１９】
図７は、本発明に係るワイヤクリップの第３実施形態を示す組立斜視図である。図においてワイヤクリップ部６の嵌合凹部６ｄは、図６に示す嵌合凹部６ｄの係止爪６ｍに代えて突起６ｎが形成され、且つ両側部内面に係止爪６ｐ、６ｐが形成されており、嵌合凹部６ｄにリード部７の嵌合部７ｂを矢印で示すように一側から嵌合し、孔７ｄに突起６ｎを嵌合し、両側の係止爪６ｐ、６ｐを嵌合部７ｂの両側部の外面周縁部に係止させて逸脱不能に固定するようにしたものである（図８）。
【００２０】
図９は、本発明に係るワイヤクリップの第４実施形態を示す組立斜視図である。図においてワイヤクリップ部６の嵌合凹部６ｄは、図６に示す嵌合凹部６ｄの係止爪６ｍに代えて突起６ｎが形成され、嵌合凹部６ｄにリード部７の嵌合部７ｂを矢印で示すように一側から嵌合し、孔７ｄに突起６ｎを貫通嵌合させて先端を熱カシメして固定するようにしたものである（図１０）。
【００２１】
図１１は、本発明に係るワイヤクリップの第５実施形態を示す組立斜視図である。図においてワイヤクリップ部６の嵌合凹部６ｄは、図９に示す嵌合凹部６ｄと同様に突起６ｎが形成され、両側部の開口縁部が面取りされてテーパ面６ｑ、６ｑとされている。リード部７は、嵌合部７ｂの両側部に係止爪７ｅ、７ｅが形成されており、嵌合凹部６ｄにリード部７の嵌合部７ｂを矢印で示すように一側から圧入し、孔７ｄに突起６ｎを貫通嵌合させ、両側部の係止爪７ｅを嵌合凹部６ｄの対向する両側部内面６ｄ’に食い込ませて固定するようにしたものである。係止爪７ｅは、面取りされたテーパ面６ｑにより嵌合凹部６ｄへの挿入が容易となる。
【００２２】
図１２は、本発明に係るワイヤクリップの第６実施形態を示す一部切欠組立斜視図である。図においてワイヤクリップ部６の嵌合凹部６ｄは、図３に示す嵌合凹部６ｄの係止爪６ｋに代えて孔６ｒを形成し、リード部７の嵌合部７ｂに孔６ｒと対応して係止爪７ｆを切り起こし形成し、嵌合凹部６ｄのスリット６ｉに嵌合部７ｂを矢印で示すように下方から挿入し、孔６ｒに係止爪７ｆを嵌合させて逸脱不能に固定するようにしたものである。
【００２３】
図１３は、本発明に係るワイヤクリップの第７実施形態を示す斜視図である。図においてワイヤクリップ部６とリード部７とをインサート成形により一体成形したもので、基部６ａにリード部７の嵌合部７ｂをインサート成形したものである。ワイヤクリップ部６の基部６ａは、前後両側面６ａ’が側面視上方から下方に向かってテーパ状に広がる略台形状とされており、回路基板に実装されて際に倒れがより良好に防止される。また、下面６ｈに脚部７ａ、７ａの間に凹部６ｓが形成されており、回路基板にパターンが形成されている場合に当該パターンを架橋して安定して設置することを可能としている。尚、基部６ａを台形状としたり、下面６ｈに凹部６ｓを設ける構造は、前記第１乃至第６の各実施形態におけるワイヤクリップ部６に適用しても良い。
【００２４】
図１４乃至図１７は、図２に示すワイヤクリップ部６の他の実施形態を示す。図１４は、テーピングワイヤクリップの第８実施形態を示し、ワイヤクリップ部２１は、一側部２１ｂの上端内面が僅かに膨出して係止爪２１ｅとされ、他側部２１ｂの先端部が内側に斜め下方に折曲されて係止爪２１ｆとされ、係止爪２１ｅの下端と僅かな隙間を存して離隔対向し、これらの係止爪２１ｅと２１ｆとの間の隙間が電線を取り込むための開口部２１ｃとされている。他の構成は第１実施形態のワイヤクリップ部６と同様である。
【００２５】
係止爪２１ｆの先端に電線を当てて押し込むと、係止爪２１ｆが弾性変形して内側に彎曲し、開口部２１ｃが大きく開き、係止爪２１ｆ上を滑動しながら押し込まれる。電線が内部に押し込まれると、係止爪２１ｆが弾性復帰して元の状態に復帰し、開口部２１ｃが狭くなり前記電線の抜けが防止される。
図１５は、テーピングワイヤクリップの第９実施形態を示し、ワイヤクリップ部２２は、一側部２２ｂの上端内面が僅かに膨出して係止爪２２ｅとされ、他側部２２ｂの先端部が内側に斜め下方に大きく折曲されて係止爪２２ｆとされ、係止爪２２ｅの下方において側部２２ｂの内面と僅かな隙間を存して離隔対向し、これらの係止爪２２ｅと２２ｆとの間の隙間が電線を取り込むための開口部２２ｃとされている。他の構成及び作用は第８実施形態のワイヤクリップ部６と同様である。
【００２６】
図１６は、テーピングワイヤクリップの第１０実施形態を示し、ワイヤクリップ部２３は、両側部２３ｂの上端内面に略三角形をなす係止爪２３ｅ、２３ｆが対称に且つ僅かな隙間を存して離隔対向して形成されており、これらの係止爪２３ｅと２３ｆとの間の隙間が電線を取り込むための開口部２３ｃとされている。対向する係止爪２３ｅ、２３ｆの先端に電線を当てて押し込むと、両側部２３ｂが弾性変形して外側に彎曲し、開口部２３ｃが大きく開き、前記電線が押し込まれる。電線が押し込まれた後、両側部２３ｂが弾性復帰して元の状態に復帰し、開口部２３ｃが狭くなり前記電線の抜けが防止される。
【００２７】
図１７は、テーピングワイヤクリップの第１１実施形態を示し、ワイヤクリップ部２４は、一側部２４ｂが前側に略Ｌ型に僅かに張り出し、他側部２４ｂが後側に略Ｌ型に僅かに張り出して夫々上方に延出し、先端部が内側に彎曲して略中央まで延出して係止部２４ｅ、２４ｆとされ、これら係止部２４ｅと２４ｆとの間に僅かな隙間の開口部２４ｃが形成されている。即ち、ワイヤクリップ部２４は、両側部２４ｂが前後にＬ型に張り出して側面視対称形状とされている。
【００２８】
係止部２４ｅ、２４ｆの間の開口部２４ｃに２点差線Ｉで示すように前後方向に対して斜めにして電線を押し込み、次いで、２点鎖線ＩＩで示すように前後方向に沿わせる。係止部２４ｅ、２４ｆは、先端部が中央近傍まで延出していることで、前記電線の開口部２４ｃからの抜けが防止される。
尚、上記第８乃至第１１実施形態においてワイヤクリップ部２１〜２４とリード部７との結合構造を第１実施形態と同様に嵌合凹部２１ｄ〜２４ｄ、係止爪２１ｋ〜２４ｋ、嵌合部７ｂ、孔７ｄとしたが、これに限るものではなく、第２乃至第７実施形態に示す何れの結合構造としても良い。
【００２９】
また、ワイヤクリップ部の基部を台形状としたり、当該基部の下面にリード部７の脚部７ａの間に凹部を設ける構造を前記第８乃至第１１の各実施形態におけるワイヤクリップ部２１〜２４に適用しても良い。
そして、第８乃至第１１実施形態においてワイヤクリップ部２１〜２４とリード部７との結合構造を第１乃至第７実施形態に示す何れの結合構造を適用する場合でも、リード部７を共通部品として小ロット多品種の形状のワイヤクリップ部２１〜２４に対応することが可能となり、組立に際してはワイヤクリップ部の品種毎の専用設備を必要とせず、製造設備及び製造コストの低減が図られる。
【００３０】
【発明の効果】
以上説明したように、本発明によれば、ワイヤクリップを実装機により回路基板に実装して多数の電線を簡単に纏めて且つ回路基板から離隔して固定することができ、作業性の向上が図られると共に回路基板に実装されている回路素子との干渉を防止することができる。
【００３１】
請求項２の発明では、ワイヤクリップ部とリード部とを別体として嵌合固定する構造とすることで、リード部を共通部品とし、ワイヤクリップを小ロット多品種の形状に対しても容易に対処することができ、組立に品種毎の専用設備を必要とせず、設備費、製造コストの低減が図られる。
請求項３の発明では、ワイヤクリップ部に押し込まれた電線は、開口部に設けられた係止爪により抜けが防止される。
【図面の簡単な説明】
【図１】本発明に係るテーピングワイヤクリップの第１実施形態を示す一部切欠正面図である。
【図２】図１に示すワイヤクリップの斜視図である。
【図３】図２に示すワイヤクリップの組立斜視図である。
【図４】図１に示すワイヤクリップの使用状態を示す斜視図である。
【図５】図４に示すワイヤクリップの使用状態を示す一部切欠正面図である。
【図６】本発明に係るワイヤクリップの第２実施形態を示す組立斜視図である。
【図７】本発明に係るワイヤクリップの第３実施形態を示す組立斜視図である。
【図８】図７に示すワイヤクリップの組み付けた状態の斜視図である。
【図９】本発明に係るワイヤクリップの第４実施形態を示す組立斜視図である。
【図１０】図９に示すワイヤクリップの組み付けた状態の斜視図である。
【図１１】本発明に係るワイヤクリップの第５実施形態を示す組立斜視図である。
【図１２】本発明に係るワイヤクリップの第６実施形態を示す一部切欠組立斜視図である。
【図１３】本発明に係るワイヤクリップの第７実施形態を示す組立斜視図である。
【図１４】本発明に係るワイヤクリップの第８実施形態を示す正面図である。
【図１５】本発明に係るワイヤクリップの第９実施形態を示す正面図である。
【図１６】本発明に係るワイヤクリップの第１０実施形態を示す正面図である。
【図１７】本発明に係るワイヤクリップの第１１実施形態を示す斜視図である。
【符号の説明】
１  テーピングワイヤクリップ
２  テープ（台紙）
３  粘着テープ
５  ワイヤクリップ
６、２１〜２４  ワイヤクリップ部
６ａ  基部
６ｂ、２１ｂ〜２４ｂ  側部
６ｃ、２１ｃ〜２４ｃ  開口部
６ｄ、２１ｄ〜２４ｄ  嵌合凹部
６ｅ、６ｆ、２１ｅ〜２４ｅ、２１ｆ〜２４ｆ  係止爪
６ｋ、６ｐ、２１ｋ〜２４ｋ、７ｅ、７ｆ  係止爪
７  リード部
７ａ  脚部
７ｂ  嵌合部
７ｄ  孔
１１  回路基板
１５  電線
【図１】
2004247357.tif 000003
【図２】
2004247357.tif 000004
【図３】
2004247357.tif 000005
【図４】
2004247357.tif 000006
【図５】
2004247357.tif 000007
【図６】
2004247357.tif 000008
【図７】
2004247357.tif 000009
【図８】
2004247357.tif 000010
【図９】
2004247357.tif 000011
【図１０】
2004247357.tif 000012
【図１１】
2004247357.tif 000013
【図１２】
2004247357.tif 000014
【図１３】
2004247357.tif 000015
【図１４】
2004247357.tif 000016
【図１５】
2004247357.tif 000017
【図１６】
2004247357.tif 000018
【図１７】
2004247357.tif 000019